(57)【特許請求の範囲】
【請求項１】
撮像装置と、前記撮像装置に装着される発光装置とを備える撮像システムであって、
前記発光装置は、
表示手段と、
被写体に対して発光を行う発光手段と、
を有し、
前記撮像装置は、
前記被写体を撮像するための撮像領域を分割した複数の領域のそれぞれに入射する光の光量を検出する検出手段と、
前記発光手段で発光すべき光の光量を算出する算出手段と、
を有し、
前記検出手段は、前記発光手段が前記被写体に対して予備発光を行ったときに前記被写体で反射される反射光のうち、前記予備発光で発光された反射光の第１の光量を、前記複数の領域のそれぞれについて検出し、
前記算出手段は、前記検出手段で検出した前記第１の光量に基づいて、前記複数の領域のうち予め定められた領域における光量を適正な光量とするために必要となる、前記発光手段が発光すべき光の第２の光量を算出し、
前記表示手段は、前記発光手段が前記算出手段で算出した前記第２の光量で発光を行ったときに前記検出手段で検出される前記複数の領域のそれぞれにおける光量と前記複数の領域のそれぞれにおける適正な光量との差分を、前記撮像領域で撮像される前記予備発光を行ったときの画像における前記複数の領域のそれぞれに対応する位置に重畳させて表示することを特徴とする撮像システム。
【請求項２】
前記発光装置は、前記複数の領域から適正な光量とすべき領域を選択する選択手段を更に有し、
前記算出手段は、前記選択手段で選択した領域における光量を適正な光量とするために必要となる、前記発光手段が発光すべき光の第３の光量を算出し、
前記発光手段は、前記撮像領域において前記被写体を撮像する際に、前記算出手段で算出した前記第３の光量で発光を行うことを特徴とする請求項１に記載の撮像システム。
【請求項３】
前記選択手段は、前記適正な光量とすべき領域として２つ以上の領域を選択し、
前記算出手段は、前記第３の光量として、前記選択手段で選択した前記２つ以上の領域のそれぞれの光量を平均した平均光量が適正な光量となるために必要となる、前記発光手段が発光すべき光の光量を算出することを特徴とする請求項２に記載の撮像システム。
【請求項４】
前記発光装置は、前記予め定められた領域を設定する設定手段を更に有し、
前記発光手段は、前記撮像領域において前記被写体を撮像する際に、前記算出手段で算出した前記第２の光量で発光を行うことを特徴とする請求項１に記載の撮像システム。
【請求項５】
前記検出手段は、前記表示手段が前記差分を表示した後に前記複数の領域のそれぞれにおける光量を検出し、
前記撮像装置は、
前記表示手段が前記差分を表示する前に前記検出手段で検出された複数の領域のそれぞれにおける光量と前記表示手段が前記差分を表示した後に前記検出手段で検出された複数の領域のそれぞれにおける光量との差が閾値以上であるかどうかを判定する判定手段と、
前記差が前記閾値以上であると前記判定手段が判定した場合に、前記発光手段に前記被写体に対する予備発光を再び行わせるかどうかを決定する決定手段と、
を更に有することを特徴とする請求項１に記載の撮像システム。
【請求項６】
前記被写体に対する予備発光を再び行わせると前記決定手段が決定した場合に、
前記検出手段は、前記発光手段が前記被写体に対して予備発光を再び行ったときに前記被写体で反射される反射光のうち、前記予備発光で発光された反射光の第４の光量を、前記複数の領域のそれぞれについて検出し、
前記算出手段は、前記検出手段で検出した前記第４の光量に基づいて、前記複数の領域のうち予め定められた領域における光量を適正な光量とするために必要となる、前記発光手段が発光すべき光の第５の光量を算出し、
前記表示手段は、前記発光手段が前記算出手段で算出した前記第４の光量で発光を行ったときに、前記検出手段で検出される前記複数の領域のそれぞれにおける光量と前記複数の領域のそれぞれにおける適正な光量との差分を、前記複数の領域のそれぞれについて表示することを特徴とする請求項５に記載の撮像システム。
【請求項７】
被写体を撮像するための撮像領域を分割した複数の領域のそれぞれに入射する光の光量を検出する検出手段と、発光手段で発光すべき光の光量を算出する算出手段とを備える撮像装置に装着される発光装置であって、
表示手段と、
被写体に対して発光を行う発光手段と、
を有し、
前記検出手段は、前記発光手段が前記被写体に対して予備発光を行ったときに前記被写体で反射される反射光のうち、前記予備発光で発光された反射光の第１の光量を、前記複数の領域のそれぞれについて検出し、
前記算出手段は、前記検出手段で検出した前記第１の光量に基づいて、前記複数の領域のうち予め定められた領域における光量を適正な光量とするために必要となる、前記発光手段が発光すべき光の第２の光量を算出し、
前記表示手段は、前記発光手段が前記算出手段で算出した前記第２の光量で発光を行ったときに前記検出手段で検出される前記複数の領域のそれぞれにおける光量と前記複数の領域のそれぞれにおける適正な光量との差分を、前記撮像領域で撮像される前記予備発光を行ったときの画像における前記複数の領域のそれぞれに対応する位置に重畳させて表示することを特徴とする発光装置。
【発明の詳細な説明】
【技術分野】
【０００１】
本発明は、撮像システム及び発光装置に関する。
【背景技術】
【０００２】
デジタルカメラなどの撮像装置においては、撮像装置に装着されたレンズやストロボなどの情報（付属品情報）に基づいて、調光エリアを設定して調光制御を行う技術が知られている（特許文献１参照）。
【先行技術文献】
【特許文献】
【０００３】
【特許文献１】特開２００７−２１２８６６号公報
【発明の概要】
【発明が解決しようとする課題】
【０００４】
しかしながら、従来技術のように、付属品情報から調光エリアを設定したとしても、複数の被写体を含む構図においては、ユーザ（撮像者）の意図したポイント（領域）に対して適正な露出（光量）にならない場合がある。このような問題は、ストロボを予備発光させ、被写体からの反射光をカメラの受光部で受光し、かかる受光結果から本撮像時のストロボの発光量を求める場合にも生じる。
【０００５】
ここで、図１４（ａ）に示すように、撮像領域（画像）の左手前側及び右手前側のそれぞれに木ＴＲ１及びＴＲ２が存在し、撮像領域の中央奥側に家ＨＯが存在する構図を考える。例えば、図１４（ｂ）に示すように、予備発光による被写体からの反射光の受光結果から、木ＴＲ１及びＴＲ２に対して適正な露出であると判断されて撮像した場合、ユーザが適正に露出したいと意図したポイントが木ＴＲ１及びＴＲ２であれば問題はない。但し、ユーザが適正に露出したいと意図したポイントが木ＴＲ１及びＴＲ２ではなく、家ＨＯである場合には、図１４（ｃ）に示すように、家ＨＯが適正に露出されるように露出を補正して再度撮像しなければならない。なお、図１４（ｂ）では、家ＨＯに対して適正な露出よりもアンダーとなり、図１４（ｃ）では、木ＴＲ１及びＴＲ２に対して適切な露出よりもオーバーとなる。
【０００６】
そこで、本発明は、このような従来技術の課題に鑑みてなされ、撮像領域を分割した領域における光量を適正な光量とするのに有利な技術を提供することを目的とする。
【課題を解決するための手段】
【０００７】
上記目的を達成するために、本発明にかかる撮像システムは、撮像装置と、前記撮像装置に装着される発光装置とを備える撮像システムであって、前記発光装置は、表示手段と、被写体に対して発光を行う発光手段と、を有し、前記撮像装置は、前記被写体を撮像するための撮像領域を分割した複数の領域のそれぞれに入射する光の光量を検出する検出手段と、前記発光手段で発光すべき光の光量を算出する算出手段と、を有し、前記検出手段は、前記発光手段が前記被写体に対して予備発光を行ったときに前記被写体で反射される反射光のうち、前記予備発光で発光された反射光の第１の光量を、前記複数の領域のそれぞれについて検出し、前記算出手段は、前記検出手段で検出した前記第１の光量に基づいて、前記複数の領域のうち予め定められた領域における光量を適正な光量とするために必要となる、前記発光手段が発光すべき光の第２の光量を算出し、前記表示手段は、前記発光手段が前記算出手段で算出した前記第２の光量で発光を行ったときに前記検出手段で検出される前記複数の領域のそれぞれにおける光量と前記複数の領域のそれぞれにおける適正な光量との差分を、前記撮像領域で撮像される前記予備発光を行ったときの画像における前記複数の領域のそれぞれに対応する位置に重畳させて表示することを特徴とする。
【発明の効果】
【０００８】
本発明によれば、例えば、撮像領域を分割した領域における光量を適正な光量とするのに有利な技術を提供することができる。
【図面の簡単な説明】
【０００９】
【図１】本発明にかかる実施形態としての撮像システムの構成を示す概略図である。
【図２】図１に示す撮像システムにおいて、撮像素子の撮像領域の分割の一例を示す図である。
【図３】図１に示す撮像システムの動作を説明するためのフローチャートである。
【図４】図１に示す撮像システムの動作を説明するためのフローチャートである。
【図５】図１に示す撮像システムの動作を説明するためのフローチャートである。
【図６】図１に示す撮像システムの動作を説明するためのフローチャートである。
【図７】図１に示す撮像システムにおいて、ストロボ装置の表示部におけるストロボ情報の表示例を示す図である。
【図８】図１に示す撮像システムの動作を説明するためのフローチャートである。
【図９】図１に示す撮像システムにおいて、撮像装置の表示部における表示例を示す図である。
【図１０】図１に示す撮像システムの動作を説明するためのフローチャートである。
【図１１】図１に示す撮像システムの動作を説明するためのフローチャートである。
【図１２】図１に示す撮像システムの動作を具体的に説明するための図である。
【図１３】撮像素子の撮像領域を分割した複数の領域から、適正な輝度値とすべき領域として２つ以上の領域を選択する場合を説明するための図である。
【図１４】従来技術における問題を説明するための図である。
【発明を実施するための形態】
【００１０】
以下、添付図面を参照して、本発明の好適な実施の形態について説明する。なお、各図において、同一の部材については同一の参照番号を付し、重複する説明は省略する。
＜第１の実施形態＞
図１は、本発明に係る実施形態としての撮像システム１の構成を示す概略図である。撮像システム１は、撮像装置１００と、撮像装置１００に装着されるレンズ２００及びストロボ装置（発光装置）３００とを備えるシステムである。
【００１１】
撮像装置１００は、主制御部１０１と、撮像素子１０２と、シャッタ１０３と、主ミラー１０４と、ピント板１０５と、検出部１０６と、焦点検出部１０７と、ゲイン設定部１０８と、Ａ／Ｄ変換部１０９と、タイミングジェネレータ（ＴＧ）１１０とを有する。また、撮像装置１００は、画像処理部１１１と、操作部１１２と、表示部１１３と、ペンタプリズム１１４と、サブミラー１１５とを有する。
【００１２】
主制御部１０１は、撮像装置１００の全体の動作（即ち、撮像装置１００の各部）を制御する。主制御部１０１は、例えば、ＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄコンバータ、Ｄ／Ａコンバータなどを含むマイコン内蔵ワンチップＩＣ回路で構成される。なお、ＥＥＰＲＯＭとは、電気的にデータを書き込み及び消去できるＲＯＭである。主制御部１０１は、ＲＯＭに格納されたプログラムを実行し、レンズ制御部２０１やストロボ制御部３０１と協同して各実施形態の処理を実行する。
【００１３】
撮像素子１０２は、赤外カットフィルタ、ローパスフィルタなどを含むＣＣＤセンサやＣＭＯＳセンサで構成される。撮像素子１０２（の撮像領域）には、撮像時において、被写体の像が結像される。シャッタ１０３は、非撮像時には撮像素子１０２を遮光し（即ち、レンズ２００からの光が撮像素子１０２に入射することを防止し）、撮像時にはレンズ２００からの光を撮像素子１０２に導く。
【００１４】
主ミラー１０４は、ハーフミラーで構成される。主ミラー１０４は、非撮像時において、レンズ２００から入射する光の一部を反射してピント板１０５に結像させる。ピント板１０５は、光学ファインダー（不図示）の一部を構成する。
【００１５】
検出部１０６は、測光センサを含む測光回路で構成される。検出部１０６は、被写体の撮像範囲、即ち、撮像素子１０２の撮像領域を分割した複数の領域のそれぞれで測光を行う（複数の領域のそれぞれに入射する光の光量を検出する）。検出部１０６は、本実施形態では、図２に示すように、撮像素子１０２の撮像領域を１２分割した領域ａ１１、ａ１２、ａ１３、ａ２１、ａ２２、ａ２３、ａ３１、ａ３２、ａ３３、ａ４１、ａ４２及びａ４３のそれぞれで測光を行う。なお、検出部１０６には、ペンタプリズム１１４を介して、ピント板１０５に結像した被写体の像が入力される。
【００１６】
焦点検出部１０７は、焦点検出センサを含む焦点検出回路で構成される。焦点検出部１０７は、複数の焦点検出ポイントを有し、撮像素子１０２の撮像領域を分割した複数の領域のそれぞれに対応した位置に焦点検出ポイントが含まれるように構成される。
【００１７】
ゲイン設定部１０８は、撮像条件、充電電圧条件、ユーザ（撮像者）の入力などに応じて、撮像素子１０２で生成される画像信号の増幅率（ゲイン）を設定する。Ａ／Ｄ変換部１０９は、撮像素子１０２からのアナログの画像信号をデジタルの画像信号に変換する。ＴＧ１１０は、撮像素子１０２からの画像信号の入力タイミングとＡ／Ｄ変換部１０９の変換タイミングとを同期させる。画像処理部１１１は、Ａ／Ｄ変換部１０９で変換されたデジタルの画像信号に対して、各種の画像処理パラメータで規定される画像処理を施す。
【００１８】
操作部１１２は、ユーザからの操作（指示や設定）を受け付ける各種のボタンやダイヤルなどを含む。操作部１１２は、例えば、被写体の撮像を指示するシャッターボタン、被写体の撮像（本撮像）に先立って予備発光を行うことを指示する予備発光ボタン、撮像素子１０２の撮像領域を分割した複数の領域から１つ又は２つ以上の領域を選択する選択ボタンなどを含む。
【００１９】
表示部１１３は、画像処理部１１１から出力される画像信号に対応する画像や撮像装置１００の状態（撮像装置１００に設定された撮像モードや撮像情報など）を表示する。表示部１１３は、例えば、液晶ＴＦＴ方式の表示形態を有し、表示画面の自由な位置に数字、文字及び線などを表示することができる。なお、表示部１１３にタッチパネルが設けられている場合には、例えば、撮像素子１０２の撮像領域を分割した複数の領域から１つ又は２つ以上の領域を選択することが可能であり、操作部１１２の一部として機能させることができる。
【００２０】
ペンタプリズム１１４は、ピント板１０５に結像された被写体の像を、検出部１０６や光学ファインダー（不図示）に導く。サブミラー１１５は、主ミラー１０４を透過した光を反射して焦点検出部１０７に導く。
【００２１】
通信ラインＳＣは、撮像装置１００とレンズ２００との通信インターフェース及び撮像装置１００とストロボ装置３００との通信インターフェースとして機能する。通信ラインＳＣは、例えば、主制御部１０１をホストとして、レンズ２００及びストロボ装置３００との間でデータの送受信やコマンドの伝達を行うことを可能にする。
【００２２】
レンズ２００は、レンズ制御部２０１と、レンズ群２０２と、レンズ駆動部２０３と、エンコーダ２０４と、絞り２０５と、絞り駆動部２０６とを有する。
【００２３】
レンズ制御部２０１は、レンズ２００の全体の動作（即ち、レンズ２００の各部）を制御する。レンズ制御部２０１は、例えば、ＣＰＵ、ＲＯＭ、ＲＡＭ、入出力制御回路、マルチプレクサ、タイマ回路、ＥＥＰＲＯＭ、Ａ／Ｄコンバータ、Ｄ／Ａコンバータなどを含むマイコン内蔵ワンチップＩＣ回路で構成される。レンズ制御部２０１は、ＲＯＭに格納されたプログラムを実行し、主制御部１０１やストロボ制御部３０１と協同して各実施形態の処理を実行する。
【００２４】
レンズ群２０２は、複数のレンズ（光学系）で構成される。レンズ駆動部２０３は、レンズ群２０２に含まれる焦点調整レンズを駆動する。エンコーダ２０４は、焦点調整レンズの駆動時において、焦点調整レンズの位置を検出する。焦点調整レンズの駆動量は、撮像装置１００の焦点検出部１０７の検出結果に基づいて、主制御部１０１にて求められ（算出され）、主制御部１０１からレンズ制御部２０１に送信される。レンズ制御部２０１は、かかる駆動量に基づいて、エンコーダ２０４によって焦点調整レンズの位置を検出しながら、レンズ駆動部２０３を介して、焦点調整レンズを合焦位置に駆動する。絞り２０５は、絞り２０５を駆動する絞り駆動部２０６を介して、レンズ制御部２０１に制御される。なお、レンズ群２０２の焦点距離は、単焦点であってもよいし、可変であってもよい（即ち、ズームレンズを含んでいてもよい）。
【００２５】
ストロボ装置３００は、ストロボ制御部３０１と、電池３０２と、昇圧回路３０３と、主コンデンサ３０４と、電圧検出部３０５と、抵抗３０６及び３０７と、トリガー回路３０８とを有する。また、ストロボ装置３００は、放電管３０９と、発光制御部３１０と、フォトダイオード３１１と、積分回路３１２と、コンパレータ３１３と、ＡＮＤゲート３１４と、反射傘３１５と、光学系３１６と、入力部３１７と、表示部３１８とを有する。
【００２６】
ストロボ制御部３０１は、ストロボ装置３００の全体の動作（即ち、ストロボ装置３００の各部）を制御する。ストロボ制御部３０１は、例えば、ＣＰＵ、ＲＯＭ、ＲＡＭ、入出力制御回路、マルチプレクサ、タイマ回路、ＥＥＰＲＯＭ、Ａ／Ｄコンバータ、Ｄ／Ａコンバータなどを含むマイコン内蔵ワンチップＩＣ回路で構成される。ストロボ制御部３０１は、ＲＯＭに格納されたプログラムを実行し、主制御部１０１やレンズ制御部２０１と協同して各実施形態の処理を実行する。
【００２７】
電池３０２は、ストロボ装置３００の電源（ＶＢＡＴ）として機能し、ストロボ制御部３０１及び昇圧回路３０３に接続する。昇圧回路３０３は、電池３０２の電圧を数百ボルトに昇圧する回路である。昇圧回路３０３は、ストロボ制御部３０１のａ端子に接続され、放電管３０９の発光のためのエネルギー（電圧）を主コンデンサ３０４に蓄積させる。
【００２８】
主コンデンサ３０４は、高圧コンデンサで構成され、本実施形態では、３３０ボルトまで充電され、放電管３０９の発光時に放電する。電圧検出部３０５は、主コンデンサ３０４の両端に接続され、主コンデンサ３０４の電圧を検出する。主コンデンサ３０４の電圧（即ち、主コンデンサ３０４に充電されたエネルギー）は、抵抗３０６及び３０７によって分圧される。抵抗３０６及び３０７によって分圧された電圧は、ストロボ制御部３０１のｉ端子を介して、Ａ／Ｄ変換端子に入力される。なお、かかる情報（主コンデンサ３０４の電圧）は、通信ラインＳＣを介して、ストロボ制御部３０１から主制御部１０１に送信される。
【００２９】
トリガー回路３０８は、ストロボ制御部３０１のｂ端子に接続され、放電管３０９の発光時にトリガー信号パルス（パルス電圧）を出力する。放電管３０９は、主コンデンサ３０４に充電されたエネルギーを、トリガー回路３０８から印加される数キロボルトのパルス電圧で励起することで発光し、その光を被写体に照射する。発光制御部３１０は、トリガー回路３０８と協同して、放電管３０９の発光の開始及び停止を制御する。
【００３０】
フォトダイオード３１１は、放電管３０９の発光量を検出するためのセンサーであって、直接又はグラスファイバーなどを介して、放電管３０９からの光を受光する。積分回路３１２は、フォトダイオード３１１で受光した光、即ち、受光電流を積分する回路である。積分回路３１２は、ストロボ制御部３０１のｆ端子に接続され、ストロボ制御部３０１から積分開始信号が入力される。また、積分回路３１２の出力は、コンパレータ３１３の反転入力端子及びストロボ制御部３０１のｅ端子を介して、Ａ／Ｄコンバータ端子に入力される。
【００３１】
コンパレータ３１３の非反転入力端子は、ストロボ制御部３０１のｄ端子を介して、Ｄ／Ａコンバータ出力端子に接続される。コンパレータ３１３の出力端子は、ＡＮＤゲート３１４の一方の入力端子に接続される。ＡＮＤゲート３１４の他方の入力端子は、ストロボ制御部３０１のｃ端子に接続される。ＡＮＤゲート３１４の出力は、発光制御部３１０に入力される。
【００３２】
反射傘３１５は、放電管３０９からの光を反射する。光学系３１６は、パネルなどで構成され、ストロボ装置３００の照射角を規定するための光学系である。なお、ストロボ装置３００の照射角は可変であってもよく、その場合、放電管３０９と光学系３１６との相対位置を変化させることで照射角を変化させる。入力部３１７は、ストロボ制御部３０１のｈ端子に接続され、ユーザからの入力を受け付ける。入力部３１７は、例えば、ストロボ装置３００の側面に設置されたスイッチなどを含み、ユーザがストロボ情報を手動で入力することを可能にする。また、入力部３１７は、本実施形態では、撮像素子１０２の撮像領域を分割した複数の領域から１つ又は２つ以上の領域を選択する選択ボタンなどを含む。
【００３３】
表示部３１８は、ストロボ制御部３０１のｇ端子に接続され、ストロボ装置３００の状態を表示する。表示部３１８は、例えば、液晶ドットマトリクス方式の表示形態を有し、表示画面の自由な位置に数字、文字及び線などを表示することができる。表示部３１８にタッチパネルが設けられている場合には、例えば、撮像素子１０２の撮像領域を分割した複数の領域から１つ又は２つ以上の領域を選択することが可能である。
【００３４】
以下、撮像システム１の具体的な動作について説明する。撮像システム１は、撮像装置１００の電源スイッチがＯＮ状態となり、主制御部１０１がレンズ２００（レンズ制御部２０１）やストロボ装置３００（ストロボ制御部３０１）と通信可能となることで動作を開始する。なお、本実施形態では、主制御部１０１が撮像システム１の動作を統括的に制御するものとする。
【００３５】
まず、図３を参照して、撮像システム１の動作のうち、特に、シャッターボタンが半押しされた場合の動作について説明する。
【００３６】
Ｓ３０２において、主制御部１０１は、主制御部１０１におけるメモリやポートの初期化を行う。また、主制御部１０１は、操作部１１２における各種ボタンの状態や操作部１１２において設定された情報を読み込み、シャッタ速度や絞り値などの撮像モードの設定も行う。
【００３７】
Ｓ３０４において、主制御部１０１は、シャッターボタンが半押しされたかどうかを判定する。シャッターボタンが半押しされていない場合には、シャッターボタンが半押しされるまで待機する（即ち、Ｓ３０４を繰り返す）。一方、シャッターボタンが半押しされた場合には、Ｓ３０６に移行する。なお、一般には、撮像装置において、シャッターボタンが半押しされると、撮像準備処理（自動焦点制御（ＡＦ）処理など）が開始される。
【００３８】
Ｓ３０６において、主制御部１０１は、通信ラインＳＣを介して、レンズ２００（レンズ制御部２０１）と通信し、レンズ２００の焦点距離情報、焦点検出や測光に必要な情報などを含むレンズ情報をレンズ２００から取得する。
【００３９】
Ｓ３０８において、主制御部１０１は、撮像装置１００にストロボ装置３００が装着されているかどうかを判定する。撮像装置１００にストロボ装置３００が装着されている場合には、Ｓ３１０に移行する。一方、撮像装置１００にストロボ装置３００が装着されていない場合には、Ｓ３１４に移行する。
【００４０】
Ｓ３１０において、主制御部１０１は、通信ラインＳＣを介して、ストロボ装置３００（ストロボ制御部３０１）と通信し、Ｓ３０６で取得したレンズ情報、特に、レンズ２００の焦点距離情報をストロボ装置３００に出力する。なお、ストロボ制御部３０１は、焦点距離情報に基づいて、ストロボ装置３００の照射角を放電管３０９と光学系３１６との相対位置により規定する。
【００４１】
Ｓ３１２において、主制御部１０１は、通信ラインＳＣを介して、ストロボ装置３００と通信し、ストロボ情報をストロボ装置３００から取得する。なお、ストロボ情報は、ストロボ制御部３０１のメモリに格納されており、例えば、現在の発光モード情報や主コンデンサ３０４の充電情報などを含む。
【００４２】
Ｓ３１４において、主制御部１０１は、ＡＦ処理を行うかどうかを判定する。なお、ＡＦ処理を行うかどうかは、撮像装置１００の撮像モードごとに予め設定されていてもよいし、ユーザが設定してもよい。ＡＦ処理を行う場合には、Ｓ３１６に移行する。一方、ＡＦ処理を行わない場合（即ち、ユーザが手動で設定する場合）には、Ｓ３２０に移行する。
【００４３】
Ｓ３１６において、主制御部１０１は、焦点検出部１０７と協同し、例えば、周知の位相差検出法によって、レンズ２００の焦点状態を検出する。なお、複数の焦点検出ポイントのうちどの焦点検出ポイントにレンズ２００を合焦させるかは、例えば、ユーザの設定、撮像モード、近点優先を基本とする周知のアルゴリズムなどに応じて決定される。また、主制御部１０１は、焦点検出部１０７の検出結果に基づいて、レンズ２００を合焦させるために必要な焦点調整レンズの駆動量を算出する。
【００４４】
Ｓ３１８において、主制御部１０１は、通信ラインＳＣを介して、レンズ２００と通信し、焦点調整レンズの駆動量をレンズ２００に出力する。なお、レンズ制御部２０１は、焦点調整レンズの駆動量に基づいて、レンズ駆動部２０３によって焦点調整レンズを合焦位置に駆動する。
【００４５】
Ｓ３２０において、主制御部１０１は、検出部１０６と協同して測光を行う。本実施形態では、図２に示したように、撮像素子１０２の撮像領域を１２分割し、領域ａ１１乃至ａ４３のそれぞれで測光を行って輝度値を求める。本実施形態では、Ｓ３２０で求められた各領域ａ１１乃至ａ４３の輝度値をＥＶｂ（ｉ）  （ｉ＝１１〜４３）とし、主制御部１０１のＲＡＭに格納する。
【００４６】
Ｓ３２２において、主制御部１０１は、ゲイン設定部１０８と協同し、例えば、ユーザの入力に応じて、撮像素子１０２で生成される画像信号の増幅率（ゲイン）を設定する。また、主制御部１０１は、通信ラインＳＣを介して、ストロボ装置３００と通信し、設定したゲインに関するゲイン情報をストロボ装置３００に出力する。
【００４７】
Ｓ３２４において、主制御部１０１は、Ｓ３２０で求めた各領域ａ１１乃至ａ４３の輝度値ＥＶｂ（ｉ）に基づいて、周知のアルゴリズムによって露出値ＥＶｓを決定する。
【００４８】
Ｓ３２６において、主制御部１０１は、通信ラインＳＣを介して、ストロボ装置３００と通信し、放電管３０９の発光のために必要なエネルギーが主コンデンサ３０４に蓄積されたか、即ち、主コンデンサ３０４の充電が完了したかどうかを判定する。主コンデンサ３０４の充電が完了している場合には、Ｓ３２８に移行する。一方、主コンデンサ３０４の充電が完了していない場合には、Ｓ３３０に移行する。
【００４９】
Ｓ３２８において、主制御部１０１は、Ｓ３２０で求めた輝度値に基づいて、ストロボ装置３００（放電管３０９）を発光させて撮像する場合に適したシャッタ速度Ｔｖ及び絞り値Ａｖを決定する。
【００５０】
Ｓ３３０において、主制御部１０１は、Ｓ３２０で求めた輝度値に基づいて、自然光で撮像する場合に適したシャッタ速度Ｔｖ及び絞り値Ａｖを決定する。
【００５１】
Ｓ３３２において、主制御部１０１は、通信ラインＳＣを介して、ストロボ装置３００と通信し、その他のストロボに関する情報をストロボ装置３００に出力する。
【００５２】
Ｓ３３４において、主制御部１０１は、シャッターボタンが全押しされたかどうかを判定する。シャッターボタンが全押しされていない場合には、Ｓ３０４に移行し、上述した動作を繰り返す。一方、シャッターボタンが全押しされた場合には、Ｓ３３４に移行して撮像処理を行い、動作を終了する。
【００５３】
次に、図４を参照して、ストロボ装置３００において予備発光を行い、被写体で反射された光（被写体からの反射光）から本撮像時のストロボ装置３００の発光量を求める場合（以下、「ＦＥＬ」と称する）の動作について説明する。ＦＥＬは、本実施形態では、撮像装置１００の操作部１１２において、ユーザが予備発光ボタンを押すことで行われるものとする。この際、シャッターボタンは、全押しされていないことは言うまでもない。
【００５４】
Ｓ４０２において、主制御部１０１は、予備発光ボタンが押されたかどうかを判定する。予備発光ボタンが押されていない場合には、動作を終了する。一方、予備発光ボタンが押された場合には、Ｓ４０４に移行する。
【００５５】
Ｓ４０４において、主制御部１０１は、検出部１０６と協同して測光を行い、ストロボ装置３００において予備発光を行う前の輝度値（外光輝度値）を取得する。本実施形態では、図２に示したように、撮像素子１０２の撮像領域を１２分割した各領域ａ１１乃至ａ４３の外光輝度値をＥＶａ（ｉ）  （ｉ＝１１〜４３）とし、主制御部１０１のＲＡＭに格納する。
【００５６】
Ｓ４０６において、主制御部１０１は、通信ラインＳＣを介して、ストロボ装置３００と通信し、ストロボ装置３００に対して予備発光を行うように指示する。ストロボ制御部３０１は、撮像装置１００からの予備発光の指示に基づいて、トリガー回路３０８及び発光制御部３１０を制御して放電管３０９を発光し、所定光量のフラットな光を被写体に所定時間照射する（即ち、予備発光を行う）。
【００５７】
Ｓ４０８において、主制御部１０１は、検出部１０６と協同して測光を行い、予備発光時の輝度値（反射光輝度値）を取得する。ここで、反射光輝度値とは、予備発光を行ったときの被写体からの反射光のうち、予備発光で発光された反射光の輝度値（第１の光量）である。具体的には、まず、予備発光時に測光を行い、撮像素子１０２の撮像領域を１２分割した各領域ａ１１乃至ａ４３の輝度値をＥＶｆ（ｉ）  （ｉ＝１１〜４３）とし、主制御部１０１のＲＡＭに格納する。そして、以下の式（１）に示すように、輝度値ＥＶｆから外光輝度値ＥＶａを伸張して差分を求め、予備発光で発光された反射光のみの反射光輝度値ＥＶｄｆ（ｉ）  （ｉ＝１１〜４３）を抽出し、主制御部１０１のＲＡＭに格納する。なお、かかる反射光輝度値ＥＶｄｆ（ｉ）は、レンズ２００のズーム位置に対応したガイドナンバーやストロボ装置３００の主コンデンサ３０４の充電電圧などに基づいて補正されている。
ＥＶｄｆ（ｉ）←ＬＮ２（２＾ＥＶｆ（ｉ）−２＾ＥＶａ（ｉ））    ・・・（式１）
【００５８】
Ｓ４１０では、主制御部１０１は、撮像素子１０２の撮像領域を分割した複数の領域のうち予め定められた領域における輝度値を適正な輝度値とするために必要となる、ストロボ装置３００が発光すべき光の光量（第２の光量）を算出する。本実施形態では、まず、焦点検出ポイント（Ｆｏｃｕｓ．ｐ）、焦点距離（ｆ）、予備発光量（Ｑｐｒｅ）などから全体の平均測光の処理を行う。そして、撮像素子１０２の撮像領域を１２分割した領域ａ１１乃至ａ４３のうちどの領域の輝度値を適正な輝度値とするかを公知のアルゴリズムなどによって選択する。なお、予備発光量（Ｑｐｒｅ）は、レンズ２００のズーム位置に対応したガイドナンバーやストロボ装置３００の主コンデンサ３０４の充電電圧などに基づいて補正されており、ストロボ装置３００から取得する。また、撮像素子１０２の撮像領域を１２分割した領域ａ１１乃至ａ４３から選択した領域（領域ａ１１乃至領域ａ４３のうちのいずれかの領域）をＰ  （Ｐ＝１１〜４３）として、主制御部１０１のＲＡＭに格納する。次いで、以下の式（２）に示すように、露出値ＥＶｓ、輝度値ＥＶｂ（Ｐ）、感度（ゲイン）及び反射光輝度値ＥＶｄｆ（Ｐ）から、選択した領域Ｐにおいて、予備発光時の発光量に対して適正となる本撮像時の発光量の相対比ｒを求める。
ｒ←ＬＮ２（２＾ＥＶｓ−２＾ＥＶｂ（Ｐ））−ＥＶｄｆ（Ｐ）    ・・・（２）
式（２）において、露出値ＥＶｓから外光輝度値ＥＶｂを伸張したものの差分を用いている理由は、ストロボ装置３００を発光したときの露出が外光にストロボ装置３００での発光を加えて適正になるように制御するためである。
【００５９】
Ｓ４１２において、主制御部１０１は、通信ラインＳＣを介して、ストロボ装置３００と通信し、ストロボ装置３００の発光に関する情報をストロボ装置３００に出力する。ここで、ストロボ装置３００の発光に関する情報は、撮像素子１０２の撮像領域を分割した複数の領域から選択した領域の位置情報を含む。また、ストロボ装置３００の発光に関する情報は、以下の式（３）に示すように、選択した領域における適正な輝度値ＥＶｐｏ（ｉ）（適正ならゼロ）とその他の領域における輝度値ＥＶｅｘ（ｉ）（適正基準の増減量）との差分ＥＶｄｉｓｐ（ｉ）も含む。
ＥＶｄｉｓｐ（ｉ）←ＥＶｐｏ（ｉ）−ＥＶｅｘ（ｉ）    ・・・（３）
【００６０】
Ｓ４１４において、主制御部１０１は、通信ラインＳＣを介して、ストロボ装置３００と通信し、ストロボ装置３００に対して、撮像素子１０２の撮像領域を分割した複数の領域のそれぞれにおける適正な輝度値との差分を表示するように指示する。本実施形態では、Ｓ４１６で出力した情報に基づいて、撮像素子１０２の撮像領域を分割した複数の領域のそれぞれにおける適正な輝度値との差分が段数として、ストロボ装置３００の表示部３１８に表示される。
【００６１】
Ｓ４１６において、主制御部１０１は、通信ラインＳＣを介して、ストロボ装置３００と通信し、ストロボ装置３００に対して、撮像素子１０２の撮像領域を分割した複数の領域のうち適正な輝度値とすべき領域を選択するように指示する。例えば、適正な輝度値とすべき領域をユーザに選択させるようなメッセージなどをストロボ装置３００の表示部３１８に表示するように指示する。
【００６２】
Ｓ４１８において、主制御部１０１は、通信ラインＳＣを介して、ストロボ装置３００と通信し、ストロボ情報をストロボ装置３００から取得する。ここで、ストロボ情報は、ストロボ装置３００において選択された領域及び補正量情報を含む。
【００６３】
Ｓ４２０において、主制御部１０１は、ストロボ装置３００が発光すべき光の光量（第３の光量）を算出する。具体的には、主制御部１０１は、Ｓ４１８で取得したストロボ情報に基づいて、撮像素子１０２の撮像領域を分割した複数の領域のうち選択した領域における輝度値を適正な輝度値とするために必要となる、ストロボ装置３００が発光すべき光の光量を算出する。例えば、Ｓ４１６で選択される領域Ｐ’における適正な輝度値とその他の領域における輝度値との差分ＥＶｄｉｓｐ（Ｐ’）と輝度値ＥＶｐｏ（Ｐ）との差を、Ｓ４１０で算出した光量にかければよい。また、以下の式（４）に示すように、領域Ｐ’において、予備発光時の発光量に対して適正となる本撮像時の発光量の相対比ｒを求めて、ストロボ装置３００が発光すべき光の光量を算出してもよい。
ｒ←ＬＮ２（２＾ＥＶｓ−２＾ＥＶｂ（Ｐ’））−ＥＶｄｆ（Ｐ’）    ・・・（４）
【００６４】
Ｓ４２２において、主制御部１０１は、Ｓ４２０で算出した光量、即ち、本撮像時においてストロボ装置３００が発光すべき光の光量を主制御部１０１のＲＡＭに格納して、動作を終了する。
【００６５】
次いで、図５を参照して、シャッターボタンが全押しされた場合の動作（即ち、Ｓ３３６の撮像処理）について説明する。
【００６６】
Ｓ５０２において、主制御部１０１は、検出部１０６と協同して測光を行い、輝度値（外光輝度値）を取得する。Ｓ５０４において、主制御部１０１は、主ミラー１０４を撮像光路から退避させる。Ｓ５０６において、主制御部１０１は、以下の式（５）に示すように、シャッタ速度Ｔｖ、予備発光の発光時間ｔｐｒｅ、ユーザによって予め設定された補正係数ｃに基づいて相対比ｒを補正して、新たな相対比ｒを算出する。
ｒ←ｒ＋Ｔｖ−ｔｐｒｅ＋ｃ    ・・・（５）
式（５）において、シャッタ速度Ｔｖ及び発光時間ｔｐｒｅを用いて相対比ｒを補正する理由は、予備発光時の測光積分値ＩＮＴｐと本撮像時の測光積分値ＩＮＴｍとを正しく比較するためである。
【００６７】
Ｓ５０８において、主制御部１０１は、通信ラインＳＣを介して、ストロボ装置３００と通信し、本撮像時の発光量を決定するための予備発光時の発光量の相対値ｒをストロボ装置３００に出力する。
【００６８】
Ｓ５１０において、主制御部１０１は、通信ラインＳＣを介して、レンズ２００と通信し、レンズ２００に対して、絞り２０５を露出値ＥＶｓに基づく絞り値Ａｖにするように指示する。また、主制御部１０１は、決定されたシャッタ速度Ｔｖになるように、シャッタ１０３を制御する。このように、Ｓ５１０では、絞り２０５の絞り値及びシャッタ１０３のシャッタ速度を制御（設定）する。
【００６９】
Ｓ５１２において、主制御部１０１は、通信ラインＳＣを介して、ストロボ装置３００と通信し、ストロボ装置３００に対して、シャッタ１０３の開閉に同期して発光を行うように指示する。なお、ストロボ装置３００においては、撮像装置１００からの相対値ｒに基づいて、放電管３０９の発光が適正な発光量となるように制御される。
【００７０】
Ｓ５１４において、主制御部１０１は、撮像光路から退避させていた主ミラー１０４を撮像光路に配置する。Ｓ５１６において、主制御部１０１は、ゲイン設定部１０８や画像処理部１１１などと協同して、現像処理を行う。具体的には、撮像素子１０２で生成された画素信号は、ゲイン設定部１０８で設定されたゲインで増幅され、Ａ／Ｄ変換部１０９でデジタルの画像信号に変換され、画像処理部１１１でホワイトバランスなどの所定の画像処理が施される。Ｓ５２０において、主制御部１０１は、Ｓ５１６で現像処理された画像信号をメモリなどの記録媒体（不図示）に記録して、動作を終了する。
【００７１】
次いで、図６を参照して、Ｓ４１４及びＳ４１６に関連するストロボ装置３００の具体的な動作について説明する。なお、ストロボ装置３００は、ストロボ装置３００の電源スイッチがＯＮ状態となると、動作を開始する。
【００７２】
Ｓ６０２において、ストロボ制御部３０１は、ストロボ制御部３０１におけるメモリやポートの初期化を行う。また、ストロボ制御部３０１は、入力部３１７において入力された情報を読み込み、発光モードや発光量などの設定も行う。なお、撮像装置１００からストロボ情報を出力することが要求されている場合には、通信ラインＳＣを介して、ストロボ情報を撮像装置１００に出力する。
【００７３】
Ｓ６０４において、ストロボ制御部３０１は、昇圧回路３０３を動作させて主コンデンサ３０４を充電する（即ち、主コンデンサ３０４の充電を開始する）。
【００７４】
Ｓ６０６において、ストロボ制御部３０１は、通信ラインＳＣを介して、撮像装置１００と通信し、Ｓ４１２で撮像装置１００から出力されたストロボ装置３００の発光に関する情報を取得して、ストロボ制御部３０１のＲＡＭに格納する。なお、ストロボ装置３００の発光に関する情報が既にＲＡＭに格納されている場合には、Ｓ６０６で取得した情報に更新する。
【００７５】
Ｓ６０８において、ストロボ制御部３０１は、Ｓ６０６で取得した情報に基づいて、撮像素子１０２の撮像領域を分割した複数の領域のそれぞれにおける適正な輝度値との差分を含むストロボ情報を表示部３１８に表示する。
【００７６】
図７（ａ）及び図７（ｂ）は、ストロボ装置３００の表示部３１８におけるストロボ情報の表示例を示す図である。図７（ａ）は、一般的なストロボ情報の表示例を示している。図７（ａ）を参照するに、表示エリアＤＡ１には、マニュアル発光モードを表す「Ｍ」マーク、或いは、自動発光モードを表す「ＥＴＴＬ」マークが表示される。表示エリアＤＡ２には、調光補正マーク（例えば、「±０Ｅｖ」）が表示され、表示領域ＤＡ３には、レンズ２００の焦点距離情報（例えば、「Ｚｏｏｍ  ５０ｍｍ」）が表示される。また、表示領域ＤＡ４には、後幕シンクロ情報又はハイスピードシンクロ情報が表示され、表示領域ＤＡ５には、ＩＳＯ感度情報（ゲイン）が表示され、表示領域ＤＡ６には、レンズ２００の絞り情報が表示され、表示領域ＤＡ７には、連動距離範囲が表示される。
【００７７】
図７（ｂ）は、ＦＥＬが行われたときの表示例を示している。図７（ｂ）を参照するに、ＬＮ１及びＬＮ２は、表示部３１８の表示画面を分割する分割線であって、撮像素子１０２の撮像領域を１２分割した各領域ａ１１乃至ａ４３（図２参照）に対応して表示される。分割線ＬＮ１及びＬＮ２で１２分割された各領域の表示領域ＤＡ８には、撮像素子１０２の撮像領域を１２分割した領域ａ１１乃至ａ４３のそれぞれにおける適正な輝度値との差分が段数として表示される。例えば、表示領域ＤＡ８には、輝度値が適正であれば「０Ｆ」が表示され、輝度値が適正でなければその差分、例えば、「−３Ｆ」や「−１Ｆ」などが表示される。
【００７８】
Ｓ６１０において、ストロボ制御部３０１は、ユーザの入力に応じて、撮像素子１０２の撮像領域を分割した複数の領域のうち適正な輝度値とすべき領域を選択する。本実施形態では、図７（ｂ）に示すように、適正な輝度値とすべき領域を選択するための選択枠ＳＦを表示し、かかる選択枠ＳＦをユーザが移動させることで適正な輝度値とすべき領域が選択される。なお、ユーザは、入力部３１７を操作することで適正な輝度値とすべき任意の領域を選択することができる。例えば、入力部３１７に含まれる選択ボタンを１回押すことで選択枠ＳＦが領域ａ１１→領域ａ１２→領域ａ１３→領域ａ２１→・・・→領域ａ４３と順に移動するようにすればよい。
【００７９】
Ｓ６１２において、ストロボ制御部３０１は、通信ラインＳＣを介して、撮像装置１００と通信し、Ｓ６１０で選択した適正な輝度値とすべき領域を含むストロボ情報を撮像装置１００に出力する。
【００８０】
Ｓ６１４において、ストロボ制御部３０１は、昇圧回路３０３が昇圧した電圧が放電管３０９の発光に必要な電圧レベルに到達したか、即ち、主コンデンサ３０４の充電が完了したかどうかを判定する。主コンデンサ３０４の充電が完了した場合には、Ｓ６１６に移行する。一方、主コンデンサ３０４の充電が完了していない場合には、Ｓ６１８に移行する。
【００８１】
Ｓ６１６において、ストロボ制御部３０１は、通信ラインＳＣを介して、撮像装置１００と通信し、主コンデンサ３０４の充電が完了した（即ち、放電管３０９の発光準備ができた）ことを示す充電完了信号を撮像装置１００に出力する。
【００８２】
Ｓ６１８において、ストロボ制御部３０１は、通信ラインＳＣを介して、撮像装置１００と通信し、主コンデンサ３０４の充電が完了していない（即ち、放電管３０９の発光準備ができていない）ことを示す充電未完了信号を撮像装置１００に出力する。また、ストロボ制御部３０１は、昇圧回路３０３を動作させて主コンデンサ３０４を充電する（Ｓ６０４に移行する）。
【００８３】
Ｓ６２０において、ストロボ制御部３０１は、通信ラインＳＣを介して、撮像装置１００と通信し、ストロボ装置３００の発光が撮像装置１００から指示されたかどうかを判定する。ストロボ装置３００の発光が指示されていない場合には、Ｓ６０４に移行する。一方、ストロボ装置３００の発光が指示された場合には、Ｓ６２２に移行する。
【００８４】
Ｓ６２２において、ストロボ制御部３０１は、発光制御部３１０と協同して、放電管３０９の発光を開始する。具体的には、ストロボ制御部３０１は、発光制御端子からＡＮＤゲート３１４を介して、発光制御部３１０にトリガー信号を入力する。発光制御部３１０は、ストロボ制御部３０１からのトリガー信号に基づいて、放電管３０９の発光を開始させる。
【００８５】
Ｓ６２４では、ストロボ制御部３０１は、ストロボ装置３００（放電管３０９）の発光量がストロボ装置３００が発光すべき光の光量に到達したか、即ち、ストロボ装置３００の発光を停止するかどうかを判定する。ストロボ装置３００の発光を停止しない場合には、Ｓ６２４を繰り返す。一方、ストロボ装置３００の発光を停止する場合には、Ｓ６２６に移行する。なお、ストロボ装置３００が発光を開始してからの発光量は、上述したように、フォトダイオード３１１及び積分回路３１２で求めることが可能である。積分回路３１２は、フォトダイオード３１１の受光電流を積分し、その出力をコンパレータ３１３の反転入力端子及びストロボ制御部３０１のＤ／Ａコンバータ出力端子に入力する。コンパレータ３１３の非反転入力端子は、ストロボ制御部３０１のＤ／Ａコンバータ出力端子に接続され、ストロボ装置３００が発光すべき光の光量に相当するＤ／Ａコンバータ値が設定されている。
【００８６】
Ｓ６２６において、ストロボ制御部３０１は、発光制御部３１０と協同して、放電管３０９の発光を停止し、Ｓ６０４に移行する。具体的には、ストロボ制御部３０１は、発光制御端子からＡＮＤゲート３１４を介して、発光制御部３１０に発光停止信号を入力する。発光制御部３１０は、ストロボ制御部３０１からの発光停止信号に基づいて、放電管３０９の発光を停止させる。
【００８７】
本実施形態の撮像システム１では、ストロボ装置３００において、撮像素子１０２の撮像領域を分割した複数の領域のそれぞれにおける適正な輝度値との差分を表示することができる。また、ストロボ装置３００において、撮像素子１０２の撮像領域を分割した複数の領域のうち適正な輝度値とすべき領域を選択することができる。従って、本実施形態の撮像システム１は、複数の被写体を含む構図においても、ユーザの意図したポイント（領域）を適正な露出にすることができる。
【００８８】
＜第２の実施形態＞
第１の実施形態では、ストロボ装置３００において、撮像素子１０２の撮像領域を分割した複数の領域のうち適正な輝度値とすべき領域を選択している。但し、撮像装置１００において、撮像素子１０２の撮像領域を分割した複数の領域のうち適正な輝度値とすべき領域を選択することも可能である。
【００８９】
図８は、撮像装置１００において、撮像素子１０２の撮像領域を分割した複数の領域のうち適正な輝度値とすべき領域を選択する場合のＦＥＬの動作を説明するためのフローチャートである。なお、Ｓ８０２乃至Ｓ８１０、Ｓ８１６及びＳ８１８のそれぞれは、Ｓ４０２乃至Ｓ４１０、Ｓ４２０及びＳ４２２と同じであるため、ここでの説明は省略する。
【００９０】
Ｓ８１２において、主制御部１０１は、撮像素子１０２の撮像領域を分割した複数の領域のそれぞれにおける適正な輝度値との差分を表示部１１３に表示する。この際、予備発光を行ったときに撮像した画像を重畳して表示してもよい。
【００９１】
図９（ａ）は、撮像装置１００の表示部１１３におけるストロボ情報の表示例を示す図である。図９（ａ）を参照するに、ＬＮ３及びＬＮ４は、表示部１１３の表示画面を分割する分割線であって、撮像素子１０２の撮像領域を１２分割した各領域ａ１１乃至ａ４３（図２参照）に対応して表示される。分割線ＬＮ３及びＬＮ４で１２分割された各領域の表示領域ＤＡ９には、撮像素子１０２の撮像領域を１２分割した領域ａ１１乃至ａ４３のそれぞれにおける適正な輝度値との差分が段数として表示される。例えば、表示領域ＤＡ９には、輝度値が適正であれば「０Ｆ」が表示され、輝度値が適正でなければその差分、例えば、「−３Ｆ」や「−１Ｆ」などが表示される。
【００９２】
Ｓ８１４において、主制御部１０１は、ユーザの入力に応じて、撮像素子１０２の撮像領域を分割した複数の領域のうち適正な輝度値とすべき領域を選択する。本実施形態では、図９（ａ）に示すように、適正な輝度値とすべき領域を選択するための選択枠ＳＦを表示し、かかる選択枠ＳＦをユーザが移動させることで適正な輝度値とすべき領域が選択される。なお、ユーザは、操作部１１２を操作することで適正な輝度値とすべき任意の領域を選択することができる。例えば、操作部１１２に含まれる選択ボタンを１回押すことで選択枠ＳＦが領域ａ１１→領域ａ１２→領域ａ１３→領域ａ２１→・・・→領域ａ４３と順に移動するようにすればよい。
【００９３】
図９（ｂ）は、撮像素子１０２の撮像領域を１２分割した領域ａ１１乃至ａ４３から、領域ａ３１を適正な輝度値とすべき領域として選択した場合に撮像される画像を示している。領域ａ３１が適正な輝度値とすべき領域として選択されているため、領域ａ２１、ａ４１、ａ２３、ａ３３及びａ４３も輝度値が適正となる。従って、領域ａ２１、ａ３１及びａ４１に存在する木ＴＲ１、及び、領域ａ２３、ａ３３及びａ４３に存在する木ＴＲ２が適正な露出となる。一方、領域ａ３２に存在する家ＨＯは適正な露出よりもアンダー（−１Ｆ）となる。
【００９４】
図９（ｃ）は、撮像素子１０２の撮像領域を１２分割した領域ａ１１乃至ａ４３から、領域ａ３２を適正な輝度値とすべき領域として選択した場合に撮像される画像を示している。この場合、領域ａ３２に存在する家ＨＯが適正な露出となる。一方、領域ａ２１、ａ３１及びａ４１に存在する木ＴＲ１、及び、領域ａ２３、ａ３３及びａ４３に存在する木ＴＲ２は適正な露出よりもオーバー（＋１Ｆ）となる。
【００９５】
なお、本実施形態におけるストロボ装置３００の動作では、図６に示すフローチャートに示すＳ６０８及びＳ６１０が不要となる。但し、図７（ａ）に示したような一般的なストロボ情報をストロボ装置３００の表示部３１８に表示させてもよいことは言うまでもない。
【００９６】
本実施形態の撮像システム１では、撮像装置１００において、撮像素子１０２の撮像領域を分割した複数の領域のそれぞれにおける適正な輝度値との差分を表示することができる。また、撮像装置１００において、撮像素子１０２の撮像領域を分割した複数の領域のうち適正な輝度値とすべき領域を選択することができる。従って、本実施形態の撮像システム１は、複数の被写体を含む構図においても、ユーザの意図したポイント（領域）を適正な露出にすることができる。
【００９７】
＜第３の実施形態＞
第１の実施形態では、ＦＥＬを行った後に、ストロボ装置３００において、撮像素子１０２の撮像領域を分割した複数の領域のうち適正な輝度値とすべき領域を選択している。但し、ストロボ装置３００において、撮像素子１０２の撮像領域を分割した複数の領域を表示部３１８に表示し、適正な輝度値とすべき領域を入力部３１７で予め設定（選択）し、設定した領域を適正な輝度値にすることも可能である。
【００９８】
このように、ストロボ装置３００において、撮像素子１０２の撮像領域を分割した複数の領域のうち適正な輝度値とすべき領域を予め設定した後、予備発光を行って本撮像時のストロボ装置３００の発光量を求めてもよい。本実施形態の撮像システム１も、複数の被写体を含む構図において、ユーザの意図したポイント（領域）を適正な露出にすることができる。
【００９９】
＜第４の実施形態＞
第２の実施形態では、ＦＥＬを行った後に、撮像装置１００において、撮像素子１０２の撮像領域を分割した複数の領域のうち適正な輝度値とすべき領域を選択している。但し、撮像装置１００において、撮像素子１０２の撮像領域を分割した複数の領域を表示部１１３に表示し、適正な輝度値とすべき領域を操作部１１２で予め設定（選択）し、設定した領域を適正な輝度値にすることも可能である。
【０１００】
このように、撮像装置１００において、撮像素子１０２の撮像領域を分割した複数の領域のうち適正な輝度値とすべき領域を予め設定した後、予備発光を行って本撮像時のストロボ装置３００の発光量を求めてもよい。本実施形態の撮像システム１も、複数の被写体を含む構図において、ユーザの意図したポイント（領域）を適正な露出にすることができる。
【０１０１】
＜第５の実施形態＞
第１の実施形態では、ＦＥＬを行った後にすぐに被写体を撮像する場合を想定している。但し、ＦＥＬを行った後にすぐに被写体を撮像するのではなく、しばらくたってから被写体を撮像する場合もある。このような場合には、構図や環境光（外光）が変化することもあるため、ユーザの意図したポイント（領域）を適正な露出にすることができない可能性がある。
【０１０２】
そこで、本実施形態では、撮像素子の撮像領域を分割した複数の領域のうち適正な輝度値とすべき領域を選択した後で測光を行い、複数の領域のそれぞれにおける輝度値の変化に応じて、予備発光を再び行うかどうかを決定する。また、予備発光を再び行うと決定した場合には、予備発光を再び行って本撮像時のストロボ装置の発光量を求める。即ち、予備発光を再び行ったときの被写体からの反射光のうち、再予備発光で発光された反射光の輝度値（第４の光量）を取得する。そして、かかる輝度値に基づいて、撮像素子の撮像領域を分割した領域における輝度値を適正な輝度値とするために必要となる、ストロボ装置が発光すべき光の光量（第５の光量）を算出する。
【０１０３】
図１０は、構図や環境光（外光）の変化を考慮したＦＥＬの動作を説明するためのフローチャートである。なお、Ｓ１００２乃至Ｓ１０１８、Ｓ１０２８及びＳ１０３０のそれぞれは、Ｓ４０２乃至Ｓ４２２と同じであるため、ここでの説明は省略する。
【０１０４】
Ｓ１０２０において、主制御部１０１は、Ｓ１００４（Ｓ４０４）と同様に、検出部１０６と協同して測光を行い、外光輝度値を取得する。本実施形態では、撮像素子１０２の撮像領域を１２分割した各領域ａ１１乃至ａ４３の外光輝度値をＥＶａ２（ｉ）  （ｉ＝１１〜４３）とし、主制御部１０１のＲＡＭに格納する。
【０１０５】
Ｓ１０２２において、主制御部１０１は、以下の式（６）に示すように、Ｓ１００４で取得した外光輝度値ＥＶａ（ｉ）とＳ１０２０で取得した外光輝度値ＥＶａ２（ｉ）との差ＥＶａ３（ｉ）を算出する。
ＥＶａ３（ｉ）←ＥＶａ２（ｉ）−ＥＶａ（ｉ）    ・・・（６）
【０１０６】
Ｓ１０２４において、主制御部１０１は、Ｓ１０２２で算出した外光輝度値の差ＥＶａ３（ｉ）が閾値以上であるかどうかを判定する。外光輝度値の差ＥＶａ３（ｉ）が閾値以上でない場合には、構図や環境光が変化していないとみなし、Ｓ１０２８に移行する。一方、外光輝度値の差ＥＶａ３（ｉ）が閾値以上である場合には、構図や環境光が変化しているとみなし、Ｓ１０２６に移行する。
【０１０７】
Ｓ１０２６において、主制御部１０１は、予備発光を再び行うかどうかを決定する。予備発光を再び行うかどうかは、撮像装置１００の撮像モードごとやストロボ装置３００の発光モードごとに予め設定されていてもよいし、撮像装置１００の操作部１１２やストロボ装置３００の入力部３１７においてユーザがその都度選択してもよい。予備発光を再び行うと決定した場合には、Ｓ１００４に移行して、予備発光を再び行って本撮像時のストロボ装置の発光量を求める（即ち、Ｓ１００４乃至Ｓ１０１８を再び行う）。一方、予備発光を再び行わないと決定した場合には、Ｓ１０２８に移行する。
【０１０８】
本実施形態の撮像システム１では、ストロボ装置３００において、撮像素子１０２の撮像領域を分割した複数の領域のそれぞれにおける適正な輝度値との差分を表示することができる。また、ストロボ装置３００において、撮像素子１０２の撮像領域を分割した複数の領域のうち適正な輝度値とすべき領域を選択することができる。更に、適正な輝度値とすべき領域を選択した後で測光を行い、輝度値の差が閾値以上、即ち、構図や環境光が変化していると考えられる場合には、予備発光を再び行って本撮像時のストロボ装置の発光量を求めることができる。従って、本実施形態の撮像システム１は、構図や環境光（外光）が変化した場合にも、複数の被写体を含む構図に対して、ユーザの意図したポイント（領域）を適正な露出にすることができる。
【０１０９】
＜第６の実施形態＞
第２の実施形態では、ＦＥＬを行った後にすぐに被写体を撮像する場合を想定している。但し、ＦＥＬを行った後にすぐに被写体を撮像するのではなく、しばらくたってから被写体を撮像する場合もある。このような場合には、構図や環境光（外光）が変化することもあるため、ユーザの意図したポイント（領域）を適正な露出にすることができない可能性がある。
【０１１０】
そこで、本実施形態では、撮像素子の撮像領域を分割した複数の領域のうち適正な輝度値とすべき領域を選択した後で測光を行い、複数の領域のそれぞれにおける輝度値の変化に応じて、予備発光を再び行うかどうかを決定する。また、予備発光を再び行うと決定した場合には、予備発光を再び行って本撮像時のストロボ装置の発光量を求める。
【０１１１】
図１１は、構図や環境光（外光）の変化を考慮したＦＥＬの動作を説明するためのフローチャートである。なお、Ｓ１１０２乃至Ｓ１１１４、Ｓ１１２４及びＳ１１２６のそれぞれは、Ｓ８０２乃至Ｓ８１８と同じであるため、ここでの説明は省略する。
【０１１２】
Ｓ１１１６において、主制御部１０１は、Ｓ１１０４と同様に、検出部１０６と協同して測光を行い、外光輝度値を取得する。本実施形態では、撮像素子１０２の撮像領域を１２分割した各領域ａ１１乃至ａ４３の外光輝度値をＥＶａ２（ｉ）  （ｉ＝１１〜４３）とし、主制御部１０１のＲＡＭに格納する。
【０１１３】
Ｓ１１１８において、主制御部１０１は、上述した式（６）に示すように、Ｓ１１０４で取得した外光輝度値ＥＶａ（ｉ）とＳ１１１６で取得した外光輝度値ＥＶａ２（ｉ）との差ＥＶａ３（ｉ）を算出する。
【０１１４】
Ｓ１１２０において、主制御部１０１は、Ｓ１１１８で算出した外光輝度値の差ＥＶａ３（ｉ）が閾値以上であるかどうかを判定する。外光輝度値の差ＥＶａ３（ｉ）が閾値以上でない場合には、構図や環境光が変化していないとみなし、Ｓ１１２４に移行する。一方、外光輝度値の差ＥＶａ３（ｉ）が閾値以上である場合には、構図や環境光が変化しているとみなし、Ｓ１１２２に移行する。
【０１１５】
Ｓ１１２２において、主制御部１０１は、予備発光を再び行うかどうかを決定する。予備発光を再び行うかどうかは、撮像装置１００の撮像モードごとやストロボ装置３００の発光モードごとに予め設定されていてもよいし、撮像装置１００の操作部１１２やストロボ装置３００の入力部３１７においてユーザがその都度選択してもよい。予備発光を再び行うと決定した場合には、Ｓ１１０４に移行して、予備発光を再び行って本撮像時のストロボ装置の発光量を求める（即ち、Ｓ１１０４乃至Ｓ１１１４を再び行う）。一方、予備発光を再び行わないと決定した場合には、Ｓ１１２４に移行する。
【０１１６】
図１２を参照して、構図が変化した場合のＦＥＬの動作について具体的に説明する。図１２（ａ）は、図９（ａ）と同様に、領域ａ３１に木ＴＲ１が存在し、領域ａ３３に木ＴＲ２が存在し、領域ａ３２に家ＨＯが存在している構図を示している。適正な輝度値とすべき領域として、選択枠ＳＦが位置する領域ａ３１が選択されているため、領域ａ３１及びａ３３では、輝度値が適正であり、「０Ｆ」が表示されている。また、領域ａ３２では、輝度値が適正ではなく、「−１Ｆ」が表示されている。図１２（ｂ）は、領域ａ２１に木ＴＲ１が存在し、領域ａ２３に木ＴＲ２が存在し、領域ａ２２及びａ３２に家ＨＯが存在している構図を示している。
【０１１７】
ここで、図１２（ａ）に示す構図から図１２（ｂ）に示す構図に変化した場合について考える。この場合、予備発光を再び行って本撮像時のストロボ装置の発光量を求めずに被写体を撮像すると、ユーザの意図したポイント（図１２（ａ）に示す構図における領域ａ３１）に存在する木ＴＲ１が適正に露出されない可能性がある。そこで、構図が変化した場合には、予備発光を再び行い、図１２（ｂ）に示すように、木ＴＲ２が存在する領域ａ２１を適正な輝度値とすべき領域として選択して、本撮像時のストロボ装置の発光量を求めることが必要となる。図１２（ｂ）では、予備発光を再び行い、適正な輝度値とすべき領域として、領域ａ２１が選択して本撮像時のストロボ装置の発光量を求めた結果を示しており、領域ａ２１では、輝度値が適正であり、「０Ｆ」が表示されている。
【０１１８】
本実施形態の撮像システム１では、ストロボ装置３００において、撮像素子１０２の撮像領域を分割した複数の領域のそれぞれにおける適正な輝度値との差分を表示することができる。また、ストロボ装置３００において、撮像素子１０２の撮像領域を分割した複数の領域のうち適正な輝度値とすべき領域を選択することができる。更に、適正な輝度値とすべき領域を選択した後で測光を行い、輝度値の差が閾値以上、即ち、構図や環境光が変化していると考えられる場合には、予備発光を再び行って本撮像時のストロボ装置の発光量を求めることができる。従って、本実施形態の撮像システム１は、構図や環境光（外光）が変化した場合にも、複数の被写体を含む構図に対して、ユーザの意図したポイント（領域）を適正な露出にすることができる。
【０１１９】
＜第７の実施形態＞
第１の実施形態乃至第６の実施形態では、撮像素子の撮像領域を分割した複数の領域から、適正な輝度値とすべき領域として１つの領域を選択（又は設定）しているが、２つ以上の領域を選択（又は設定）してもよい。
【０１２０】
例えば、図１３に示すように、領域ａ２１及びａ３１を適正な輝度値とすべき領域として選択する（即ち、選択枠ＳＦを領域ａ２１及びａ３１に位置させる）こともできる。この場合、領域ａ２１及びａ３１における適正な輝度値との差分としては、領域ａ２１における適正な輝度値との差分と領域ａ３１における適正な輝度値との差分の中間の値が表示される。なお、図１３では、領域ａ２１における適正な輝度値との差分が「０Ｆ」、領域ａ３１における適正な輝度値との差分が「０Ｆ」であるため、中間の値として「０Ｆ」が表示されている。また、撮像素子の撮像領域を分割した複数の領域から、適正な輝度値とすべき領域として３つ以上の領域を選択する場合には、かかる３つ以上の領域のそれぞれにおける適正な輝度値との差分の平均の値を表示すればよい。
【０１２１】
なお、撮像素子の撮像領域を分割した複数の領域から、適正な輝度値とすべき領域として２つ以上の領域を選択した場合には、２つ以上の領域のそれぞれの光量を平均した平均光量が適正な光量となるために必要となる、ストロボ装置が発光すべき光量を算出する。
【０１２２】
本実施形態の撮像システム１では、撮像素子の撮像領域を分割した複数の領域から、適正な輝度値とすべき領域として２つ以上の領域を選択（又は設定）することができる。従って、本実施形態の撮像システム１は、被写体が複数の領域にまたがって存在する場合であっても、ユーザの意図したポイント（領域）を適正な露出にすることができる。
【０１２３】
また、本発明は、以下の処理を実行することによっても実現される。即ち、上述した実施形態の機能を実現するソフトウェア（プログラム）を、ネットワーク又は各記憶媒体を介してシステム或いは装置に供給し、そのシステム或いは装置のコンピュータ（又はＣＰＵやＭＰＵ等）がプログラムを読み出して実行する処理である。この場合、そのプログラム、及び、かかるプログラムを記憶した記憶媒体は本発明を構成することになる。
【０１２４】
以上、本発明の好ましい実施形態について説明したが、本発明はこれらの実施形態に限定されないことはいうまでもなく、その要旨の範囲内で種々の変形及び変更が可能である。例えば、ストロボ装置が撮像装置に内蔵された撮像システム、レンズが撮像装置に内蔵された撮像システム、或いは、撮像装置が主ミラーやペンタプリズムを有していない撮像システムでもよい。
【図１】
0005806461.tif 000002
【図２】
0005806461.tif 000003
【図３】
0005806461.tif 000004
【図４】
0005806461.tif 000005
【図５】
0005806461.tif 000006
【図６】
0005806461.tif 000007
【図７】
0005806461.tif 000008
【図８】
0005806461.tif 000009
【図９】
0005806461.tif 000010
【図１０】
0005806461.tif 000011
【図１１】
0005806461.tif 000012
【図１２】
0005806461.tif 000013
【図１３】
0005806461.tif 000014
【図１４】
0005806461.tif 000015